(57)【特許請求の範囲】
【請求項１】
ヘアードライヤの噴出開口部に取り付けられ、加熱手段で加熱された温風を通過させる温風通過筒状部と、この温風通過筒状部を囲むように該温風通過筒状部の周囲に設けられ、取り込まれた外部の空気を前記加熱手段で加熱させることなく噴出開口部へ通過させる外気通過筒状部とを有する二重構造式ヘアードライヤ用のマルチノズルであって、
前記噴出開口部の中心に対して環状に配設され、前記噴出開口部から噴き出される温風を複数の噴出風として外部に噴出するように互いに平行に延出し、かつ前後の口径が同一である複数の筒状体と、
前記噴出開口部に取り付けられる前記複数の筒状体の基端部における筒状体の間の隙間を閉塞し、当該隙間からの温風の漏出を防止する閉塞部と、
前記複数の筒状体を囲むように前記噴出開口部と同じ直径をもって前記噴出開口部から延出し、基端部が前記噴出開口部に連結される外環筒体と
を有することを特徴とするヘアードライヤ用のマルチノズル。
【請求項２】
前記閉塞部は、
前記複数の筒状体の前記基端部における各筒状体の間の隙間に伸びて該隙間を閉塞する隙間閉塞部と、
この隙間閉塞部の最外周縁部からの温風の漏出を防止すべく該最外周縁部を前記噴出開口部に向けて立ち上げて、該最外周縁部を噴出開口部まで延出させて形成される周縁閉塞壁と、
この周縁閉塞壁と前記隙間閉塞板とで囲まれた噴出開口部に隣接する空間として形成され、噴出開口部からの風量を調整する風量調整部と
を有することを特徴とする請求項１記載のヘアードライヤ用のマルチノズル。
【請求項３】
前記筒状体の先端部は、外環筒体よりも外部に突出していることを特徴とする請求項１または２に記載のヘアードライヤ用のマルチノズル。
【発明の詳細な説明】
【技術分野】
【０００１】
本発明は、ヘアードライヤからの温風が噴き出す噴出開口部に取り付けられるヘアードライヤ用のマルチノズルに関し、更に詳しくは、ヘアードライヤからの温風を頭髪を傷めることのない比較的低温の複数の噴出風として噴き出して頭髪を乾燥させるヘアードライヤ用のマルチノズルに関する。
【背景技術】
【０００２】
近年、頭髪のケアに対する関心は、老若男女を問わず、幅広い世代に及んでいる。一般に、洗髪後に濡れた頭髪を自然乾燥させると、頭皮に水分が長時間付着していることになり、雑菌が増える原因となる。従って、ヘアードライヤなどで濡れた頭髪をすぐに乾燥させる方が頭皮には良いとされている。
【０００３】
しかしながら、ヘアードライヤで濡れた頭髪を乾燥させる場合に、頭髪とヘアードライヤとの間の距離が短くなると、ヘアードライヤからの温風が頭髪の一部に集中して高温になり、頭髪に悪影響を与える。なお、ヘアードライヤで濡れた頭髪を乾燥させる場合には、ヘアードライヤからの温風が一部に集中しないようにヘアードライヤを左右に振りながら濡れた頭髪を乾燥させることが行われている。
【０００４】
また、従来のヘアードライヤの温風が噴き出る噴出開口部は、先端に行くに連れて断面積が小さくなり、温風を頭髪の一部に集中させる構造になっている。更に、温風のみを頭髪に噴き付けると、頭髪を傷める原因となるので、ヘアードライヤにおいてヒータで暖められた温風を噴き出す以外に、ヒータで暖められていない外部の空気を吸引して、この外部の空気を温風とともに同時に噴き出す二重構造式ヘアードライヤもある。
【０００５】
この二重構造式ヘアードライヤは、温風だけを噴き出すヘアードライヤに比較して、温風と外部の空気の混在した低い温度で濡れた頭髪を乾燥させることが可能である。しかしながら、実際の測定結果では、頭髪に当たる時の温度は、例えば約１１０゜Ｃのような比較的高温となり、この高温の温風で頭髪を傷めている。
【０００６】
濡れた頭髪を乾燥させるために必要なヘアードライヤからの温風の温度は、一般に６０゜Ｃ乃至７０゜Ｃであり、８０゜Ｃ以上の温度では頭髪に悪影響を与える。従って、頭髪を傷めないようにヘアードライヤからの温風の温度が低く、濡れた頭髪を短時間で広範囲に乾燥させ得るヘアードライヤの開発が要望されている。
【先行技術文献】
【特許文献】
【０００７】
【特許文献１】特許第４４２００５９号
【発明の概要】
【発明が解決しようとする課題】
【０００８】
本発明は、上記に鑑みてなされたもので、その目的とするところは、温風を複数の噴出風として噴き出して温風の分散および拡散を促し温風の低温化を図り頭髪を傷めないヘアードライヤ用のマルチノズルを提供することにある。
【課題を解決するための手段】
【００１１】
上記課題を達成するため、 請求項１記載のヘアードライヤ用のマルチノズルは、ヘアードライヤの噴出開口部に取り付けられ、加熱手段で加熱された温風を通過させる温風通過筒状部と、この温風通過筒状部を囲むように該温風通過筒状部の周囲に設けられ、取り込まれた外部の空気を前記加熱手段で加熱させることなく噴出開口部へ通過させる外気通過筒状部とを有する二重構造式ヘアードライヤ用のマルチノズルであって、前記噴出開口部の中心に対して環状に配設され、前記噴出開口部から噴き出される温風を複数の噴出風として外部に噴出するように互いに平行に延出し、かつ前後の口径が同一である複数の筒状体と、前記噴出開口部に取り付けられる前記複数の筒状体の基端部における筒状体の間の隙間を閉塞し、当該隙間からの温風の漏出を防止する閉塞部と、前記複数の筒状体を囲むように前記噴出開口部と同じ直径をもって前記噴出開口部から延出し、基端部が前記噴出開口部に連結される外環筒体と有することを要旨とする。
換言すれば、加熱手段で加熱された温風を噴き出すために通過させる温風通過筒状部と、この温風通過筒状部を囲むように該温風通過筒状部の周囲に設けられ、加熱手段で加熱されていない外部の空気を前記温風通過筒状部との間に吸引して噴き出すために外部の空気を通過させる外気通過筒状部とを有する二重構造式ヘアードライヤの前記温風通過筒状部の噴出開口部に取り付けられ、該噴出開口部からの温風を受け入れて複数の噴出風として外部に噴き出すヘアードライヤ用のマルチノズルであって、前記噴出開口部の中心に対して環状に配設され、前記噴出開口部から噴き出される温風を受け入れて複数の噴出風として外部に噴出するように互いに平行に延出する複数の筒状体と、前記噴出開口部に取り付けられる前記複数の筒状体の基端部における前記複数の筒状体の間の隙間に前記噴出開口部からの温風が漏出することを防止するとともに前記噴出開口部からの温風を各筒状体に均等かつ円滑に分配するように前記複数の筒状体の間の隙間を閉塞する閉塞部と、前記複数の筒状体を囲むように前記噴出開口部と同じ直径をもって前記噴出開口部から延出し、基端部が前記噴出開口部に連結される外環筒体とを有することを要旨とする。
【００１２】
請求項１記載のヘアードライヤ用のマルチノズルでは、複数の筒状体を二重構造式ヘアードライヤの噴出開口部の中心に対して環状に配設し、噴出開口部から噴き出される温風を受け入れて複数の噴出風として外部に噴出するとともに複数の筒状体の周囲に噴き出される外部の空気を複数の筒状体から複数の噴出風として噴き出される温風に巻き込むように混ぜて低温化しながら、濡れた頭髪に向けて比較的低温の速い速度で熱の集中もなく、拡散された状態で風量の多い噴出風として広範囲に噴出し、濡れた頭髪を傷めることなくほぐしながら短時間で効率的に乾燥させることができる。
【００１３】
請求項２記載のヘアードライヤ用のマルチノズルは、前記閉塞部が、前記複数の筒状体の前記基端部における各筒状体の間の隙間に伸びて該隙間を閉塞する隙間閉塞部と、この隙間閉塞部の最外周縁部からの温風の漏出を防止すべく該最外周縁部を前記噴出開口部に向けて立ち上げて、該最外周縁部を噴出開口部まで延出させて形成される周縁閉塞壁と、この周縁閉塞壁と前記隙間閉塞板とで囲まれた噴出開口部に隣接する空間として形成され、噴出開口部からの風量を調整する風量調整部とを有することを要旨とする。
【００１４】
請求項２記載のヘアードライヤ用のマルチノズルでは、各筒状体の間の隙間に伸びて該隙間を閉塞する隙間閉塞部と該隙間閉塞部の最外周縁部を噴出開口部まで延出させて形成される周縁閉塞壁とで囲まれた噴出開口部に隣接する空間として風量調整部を形成しているため、噴出開口部からの温風を一時的に貯蔵し緩衝させて均一的に分散し、複数の筒状体の各々に対して均等に配分しながら各筒状体に送り出し、これにより複数の噴出風として頭髪に向けて比較的低温で熱の集中もなく、拡散された状態で風量の多い噴出風を広範囲に噴出し、濡れた頭髪を傷めることなくほぐしながら短時間で乾燥させている。
【００１５】
請求項３記載のヘアードライヤ用のマルチノズルは、前記外環筒体の長さが、前記複数の筒状体よりも短く、該複数の筒状体の前記基端部と反対側の自由端部は、外環筒体よりも外部に突出していることを要旨とする。
【００１６】
請求項３記載のヘアードライヤ用のマルチノズルでは、筒状体は外環筒体よりも外部に突出しているため、外環筒体から噴出される外部の空気と筒状体から噴出される温風の拡散が促進され、頭髪に当たる温風の温度は低下させることができるとともに高温度領域の割合も減少する。
【発明の効果】
【００１７】
本発明によれば、複数の筒状体をヘアードライヤの噴出開口部の中心に対して環状に配設し、噴出開口部から噴き出される温風を受け入れて複数の噴出風として外部に噴出するので、頭髪に向けて噴出される温風は比較的低温の速い速度で熱の集中もなく、拡散された状態で風量の多い噴出風として広範囲に噴出し、頭髪を傷めることなくほぐしながら短時間で効率的に乾燥させることができる。
【００１８】
また、本発明によれば、複数の筒状体を二重構造式ヘアードライヤの噴出開口部の中心に対して環状に配設し、噴出開口部から噴き出される温風を受け入れて複数の噴出風として外部に噴出するとともに複数の筒状体の周囲に噴き出される外部の空気を複数の筒状体から複数の噴出風として噴き出される温風に巻き込むように混ぜて低温化しながら濡れた頭髪に向けて比較的低温の速い速度で熱の集中もなく、拡散された状態で風量の多い噴出風として広範囲に噴出し、濡れた頭髪を傷めることなくほぐしながら短時間で効率的に乾燥させることができる。
【００１９】
更に、本発明によれば、各筒状体の間の隙間に伸びて該隙間を閉塞する隙間閉塞部と該隙間閉塞部の最外周縁部を噴出開口部まで延出させて形成される周縁閉塞壁とで囲まれた噴出開口部に隣接する空間として風量調整部を形成しているので、噴出開口部からの風量を調整し、例えば温風を一時的に貯蔵し緩衝させて均一的に分散し、複数の筒状体の各々に対して均等に配分しながら各筒状体に送り出し、これにより複数の噴出風として頭髪に向けて比較的低温で熱の集中もなく、拡散された状態で風量の多い噴出風を広範囲に噴出し、濡れた頭髪を傷めることなくほぐしながら短時間で乾燥させている。
【００２０】
本発明によれば、外環筒体の長さが複数の筒状体よりも短く、筒状体は外環筒体よりも外部に突出しているので、外環筒体から噴出される外部の空気と筒状体から噴出される温風の拡散が促進され、頭髪に当たる温風の温度は低下させることができるとともに高温度領域の割合も減少する。
【図面の簡単な説明】
【００２１】
【図１】本発明の一実施形態に係わるマルチノズルを取り付けたヘアードライヤを示す斜視図である。
【図２】図１に示したヘアードライヤの側方から見た断面図である。
【図３】図１に示したヘアードライヤに取り付けられているマルチノズルの正面図、側方から見た断面図、および裏側から見た斜視図である。
【図４】図１に示したヘアードライヤを用いて頭髪を乾燥させた場合における温風の温度分布と速度分布を示す図である。
【図５】従来の単なる二重構造式のヘアードライヤにおける温風の温度分布と速度分布を示す図である。
【図６】本発明の他の実施形態に係わるマルチノズルが取り付けられたヘアードライヤを示す斜視図である。
【図７】図６に示したヘアードライヤに取り付けられているマルチノズルの筒状体側から見た正面図、側方から見た断面図、および裏側から見た斜視図である。
【図８】図６に示した実施形態のヘアードライヤを用いて頭髪を乾燥させた場合における温風の温度分布と速度分布を示す図である。
【図９】本発明の別の実施形態に係わるマルチノズルが取り付けられたヘアードライヤを示す斜視図である。
【図１０】図９に示したヘアードライヤに取り付けられているマルチノズルの筒状体側から見た正面図、側方から見た断面図である。
【図１１】図９に示したヘアードライヤに取り付けられているマルチノズルの筒状体側から見た正面図である。
【発明を実施するための形態】
【００２２】
以下、図面を用いて、本発明を実施するための最良の形態(以下、実施形態と称する)を説明する。
【００２３】
図１は、本発明の一実施形態に係わるマルチノズルが取り付けられたヘアードライヤを示す斜視図である。同図に示すヘアードライヤ１は、二重構造式ヘアードライヤ３の先端部である噴出開口部３ａ、すなわち温風が噴出される開口部である噴出開口部３ａに本実施形態のマルチノズル５を取り付けたものである。
【００２４】
二重構造式ヘアードライヤ３は、前記噴出開口部３ａと反対側の後端部寄りの内部に空気吸引送風手段であるファン７が設けられている。そして、当該二重構造式ヘアードライヤ３の前記後端部は、外部からの空気を矢印１０１で示すように吸引する空気吸引開口部３ｂを構成している。
【００２５】
また、二重構造式ヘアードライヤ３の内部であってファン７と噴出開口部３ａとの間には、円筒形の温風通過筒状部１１が設けられている。なお、二重構造式ヘアードライヤ３は、最外側が円筒形の筒状体で形成されているが、この最外側の円筒形の筒状体を外気通過筒状部１３と称することにする。
【００２６】
更に、前記温風通過筒状部１１の内部には、ファン７から送られてくる外部からの空気を加熱して温風を発生するための加熱手段であるヒータ１５が配設されている。また、前記噴出開口部３ａと空気吸引開口部３ｂには、耐熱性のネット９が取り付けられ、ファン７やヒータ１５の存在する内部に異物、ゴミ、指などが入らないようになっている。
【００２７】
また、二重構造式ヘアードライヤ３の外気通過筒状部１３の後端部寄りの下側には、下方に延出するようにハンドル部１７が取り付けられている。このハンドル部１７は、外気通過筒状部１３に取り付けられた基端部を中心として外気通過筒状部１３の長手方向に対して近接したり、離間するように回動可能に取り付けられている。
【００２８】
本実施形態のマルチノズル５は、二重構造式ヘアードライヤ３の外気通過筒状部１３の先端である噴出開口部３ａに取り付けられる。このマルチノズル５は、その口径が前記外気通過筒状部１３と同じ直径の短筒状の外環筒体２１と、この外環筒体２１の内側に配設される、複数（本実施形態では３本）の筒状体２３ａ、２３ｂ、２３ｃとからなる。なお、複数の筒状体２３ａ、２３ｂ、２３ｃを総称して記載する場合には、単に筒状体２３と記載する。
【００２９】
複数の筒状体２３は、外環筒体２１と同方向に延出している。さらに詳しくは、筒状体２３の先端である自由端部２４が、外環筒体２１よりも長く、外環筒体２１先端部よりも外方に突出している。また、複数の筒状体２３は、それぞれが先端から後端まで内径が同一の筒状であり、それぞれの筒状体２３ａ、２３ｂ、２３ｃは、それぞれの中心軸が同一方向でかつ互いに平行となるように配設されている。
【００３０】
また、それぞれの筒状体２３ａ、２３ｂ、２３ｃは、外環筒体２１の中心に対して、すなわち噴出開口部３ａの中心に対して環状に配設される。これらの構成により二重構造式ヘアードライヤ３の噴出開口部３ａから噴き出される温風を複数（本実施形態では３つ）の噴出風として矢印１０２で示すように外部に噴出する。
【００３１】
また、外環筒体２１は、筒状体２３ａ、２３ｂ、２３ｃによる噴出し温度の低温化を促進するものであり、具体的には、７０℃以上の高温度領域の割合は筒状体２３のみによる噴出しに比べ、外環筒体２１を加えた二重構造では、さららに１０〜１２%の低温化を可能とする。
【００３２】
図２は、図１に示したヘアードライヤ１の側方から見た断面を模式的に示す断面図である。また、図３（ａ）、（ｂ）および（ｃ）は、図１および図２に示したヘアードライヤ１に取り付けられているマルチノズル５の複数の筒状体２３側から見た正面図、側方Ａ−Ａから見た断面図、および裏側から見た斜視図である。
【００３３】
図２に示すように、マルチノズル５の外環筒体２１は、二重構造式ヘアードライヤ３の外気通過筒状部１３と同径であって、外気通過筒状部１３から外環筒体２１に切れ目なく連続的につながって連結されている。また、複数の筒状体２３の前記自由端部２４と反対側の基端部２５は、二重構造式ヘアードライヤ３の前記噴出開口部３ａまで延出せず、噴出開口部３ａの少し手前で終端して、噴出開口部３ａと筒状体２３の基端部２５との間に空間３１が設けられている。
【００３４】
なお、複数の筒状体２３ａ、２３ｂ、２３ｃの自由端部２４および基端部２５は、それぞれ各筒状体２３ａ、２３ｂ、２３ｃ毎に存在し、それぞれに対して自由端部２４ａ、２４ｂ、２４ｃおよび基端部２５ａ、２５ｂ、２５ｃと記載され得るものであるが、ここでは簡単化のためａ、ｂ、ｃの添え字を省略して、自由端部２４および基端部２５のように総称して記載している。
【００３５】
上述したように、各筒状体２３の基端部２５と噴出開口部３ａとの間に空間３１を設けて、噴出開口部３ａの少し手前で終端している複数の筒状体２３の基端部２５の間には、図３（ａ）に複数の筒状体２３を正面から見た状態を示すように、隙間３３が存在する。このような隙間３３が存在すると、噴出開口部３ａからの温風がすべて複数の筒状体２３内に入らず、隙間３３から温風が漏出することになるので、このような温風の隙間３３からの漏出を防止するとともに、噴出開口部３ａからの温風を複数の筒状体２３に均等かつ円滑に分配するように複数の筒状体２３の基端部２５の間の隙間３３を隙間閉塞部２７で図２および図３にも示すように閉塞している。
【００３６】
更に、前記隙間閉塞部２７は、その最外周縁部からの前記温風の漏出も防止すべく、図２および図３（ｂ）から分かるように、隙間閉塞部２７の最外周縁部が噴出開口部３ａに向けて立ち上げるように延出して噴出開口部３ａに至り、これにより当該最外周縁部と噴出開口部３ａとの間を閉塞し、前記隙間閉塞部２７とともに前記空間である風量調整部３１を構成する周縁閉塞壁２９が設けられている。
【００３７】
すなわち、風量調整部３１は、隙間閉塞部２７と、周縁閉塞壁２９と、噴出開口部３ａとで囲まれた前記空間であって、この空間において二重構造式ヘアードライヤ３の温風通過筒状部１１からの温風が貯蔵されるとともに緩衝され、これにより温風通過筒状部１１からの温風を均一的に分散し、複数の筒状体２３の各々に対して均等に配分しながら各筒状体２３に送り出し、これにより温風を複数の筒状体２３の自由端部２４から複数の噴出風として外部に向けて、具体的には濡れた頭髪に向けて比較的低温で熱の集中もなく、拡散された状態で風量の多い噴出風を広範囲に噴出し、濡れた頭髪を傷めることなくほぐしながら短時間で乾燥させている。また、上述したように、複数の筒状体２３を外環筒体２１よりも突出させることにより、すなわち外環筒体２１を筒状体２３よりも短く形成することにより、外環筒体２１から噴出される外部の空気と筒状体２３から噴出される温風の拡散が促進され、頭髪に当たる温風の温度は低下させることができるとともに高温度領域の割合も減少する。なお、温風を噴出する筒状体２３の長さを３５ｍｍとし、外部の空気を噴出する外環筒体２１の長さを１０ｍｍとした場合に、最も低温化が可能であるが実験的に得られている。また、周縁閉塞壁２９で囲む内側の面積をＡとし、複数の筒状体２３の開口部先端の各面積を加算した総面積をａとすると、両者の関係は、次式のようになっていることが好ましい。
【００３８】
２／３×Ａ＝ａ
ただし、係数２／３は、２／５〜４／５の範囲内にあればよく、２／５以上となると、前述した風量調整部３１の効果、各筒状体２３からの風量が均一となる効果が薄れ、４／５以下となると空気抵抗が増し、効率が低下することから好ましくない。
【００３９】
以上のように構成されるマルチノズル５を二重構造式ヘアードライヤ３の噴出開口部３ａに取り付けられたヘアードライヤ１を用いて濡れた頭髪を乾燥させるには、当該ヘアードライヤ１の先端であるマルチノズル５の複数の筒状体２３の自由端部２４を濡れた頭髪から例えば１５０ｍｍ乃至２００ｍｍ離して図示しない電源スイッチをオンにすると、ヒータ１５に電力が供給されて駆動され、ヒータ１５から熱が発生するとともに、ファンも駆動されて回転し、ファン７は、空気吸引開口部３ｂから矢印１０１で示すように外部の空気を吸引し、この吸引した空気を図２で矢印１０３で示すように、温風通過筒状部１１内に送り出すとともに、矢印１０４で示すように、温風通過筒状部１１の外側の外気通過筒状部１３内にも送り出す。
【００４０】
ファン７で温風通過筒状部１１内に送り出された外部の空気は、ヒータ１５で暖められ、温風として矢印１０５で示すように温風通過筒状部１１の噴出開口部３ａからマルチノズル５の風量調整部３１内に送り込まれる。この風量調整部３１内に送り込まれた温風は、上述したように、風量調整部３１において均一的に分散され、複数の筒状体２３の各々に対して均等に配分されながら複数の筒状体２３のそれぞれに送り出され、複数の筒状体２３のそれぞれの自由端部２４から複数の噴出風として濡れた頭髪に向けて噴き出されるとともに、また同時に、二重構造式ヘアードライヤ３の外気通過筒状部１３内に送り込まれた外部の空気は、ヒータ１５で暖められることなく、矢印１０６で示すように二重構造式ヘアードライヤ３の噴出開口部３ａからマルチノズル５の外環筒体２１と周縁閉塞壁２９との間および外環筒体２１と複数の筒状体２３の外壁との間を通って、複数の筒状体２３の自由端部２４の周囲の外部に噴き出され、複数の筒状体２３から複数の噴出風として噴き出される温風に巻き込まれるように混ぜられて低温化を図りながら、濡れた頭髪に向けて比較的低温の速い速度で熱の集中もなく、拡散された状態で風量の多い噴出風として広範囲に噴出し、濡れた頭髪を傷めることなく、ほぐしながら短時間で効率的に乾燥させることができる。
【００４１】
図４は、上述した本実施形態のヘアードライヤ１を用いて頭髪を乾燥させた場合における温風の温度分布と速度分布を示す図である。以下、図４，５，８において、温度分布は大文字でＡからＤへ温度が低い領域を示し、速度分布は小文字でａからｄへ風速が遅い領域を示す。すなわち領域Ａがもっとも温度が高く、領域ａがもっとも風速が早い領域であることを示すものである。
【００４２】
なお、図５は、図４に示す本実施形態のヘアードライヤ１の温風の温度分布と速度分布との比較を示すために、従来の単純な二重構造式のヘアードライヤにおける、温風の温度分布と速度分布を示す図である。なお、図４および図５に示す温風の温度分布と速度分布は、頭髪の代わりに衝突板を設け、この衝突板における温風の温度分布と速度分布を示している。
【００４３】
また、図４および図５では、ヘアードライヤ１からの温風の噴出口である３本の筒状体２３の自由端部２４と衝突板との間の距離ＬをＬ＝１００ｍｍ、Ｌ＝１５０ｍｍおよびＬ＝２００ｍｍとした場合についての温風の温度分布と速度分布が示されている。
【００４４】
図４から分かるように、本実施形態のヘアードライヤ１においては、距離Ｌ＝１００ｍｍ、Ｌ＝１５０ｍｍおよびＬ＝２００ｍｍのいずれの場合も、衝突板の中心が最も高温になって、風速は遅くなるとともに、高温領域が狭くなり、適温領域が広がっている。また、各筒状体２３からの噴出風が集まる衝突板の中心には、よどみ領域が形成される。このよどみ領域が形成されることにより、マルチノズル５の筒状体２３から噴出される温風の噴出速度が減衰し、噴出風の乱れが筒状体２３の直下で発生し、衝突板の中心の温度が高くなる。また、風速は従来よりは速いが、風速の遅い範囲が狭くなっている。
【００４５】
更に、距離Ｌ＝１００ｍｍ、Ｌ＝１５０ｍｍおよびＬ＝２００ｍｍのいずれの条件下でも、隣り合う２本の筒状体２３の間の温度は、点線で楕円形に囲んで示すように、高くなり、風速は速くなっている。これは、図４において、楕円形の点線で囲んで示すように、噴出風同士が衝突し、各筒状体２３の間の風速が速くなるためである。このように、各筒状体２３間の風速が速くなることにより、温風の一部集中を分散させることが可能となっている。また、距離Ｌ＝１００ｍｍ、Ｌ＝１５０ｍｍおよびＬ＝２００ｍｍのいずれの条件下でも、最も高温となる点の温度は、７０゜Ｃ以下にならず、本実施形態のように複数の筒状体２３を設けることにより、温度が低下するが、高温領域は８０％と大きくなっている。なお、距離Ｌ＝２００ｍｍの場合は、筒状体２３の影響を受けにくくなっている。
【００４６】
一方、図５に示すように、従来のヘアードライヤでは、距離Ｌ＝１００ｍｍ、Ｌ＝１５０ｍｍおよびＬ＝２００ｍｍのいずれの場合も、衝突板の中心が最も高温になって風速は遅くなり、また距離Ｌ＝１００ｍおよびＬ＝１５０ｍｍの場合には、衝突板の中心温度の変化はほとんどないが、距離Ｌ＝２００ｍｍでは、噴出された温風と外部の空気が拡散することにより、衝突板の中心温度は、距離Ｌ＝１００ｍｍ、Ｌ＝１５０ｍｍの場合に比較して、低くなっている。しかしながら、距離Ｌ＝１００ｍｍ、Ｌ＝１５０ｍｍおよびＬ＝２００ｍｍのいずれの条件下においても、最も高温になる点の温度は、６０゜Ｃ乃至７０゜Ｃ以上となり、温度分布も均一にならない。また、７０゜Ｃ以上の高温領域の割合も距離Ｌ＝１００ｍｍでは約４０％、Ｌ＝１５０ｍｍでは約８０％、Ｌ＝２００ｍｍでは約７０％と高くなっている。また、筒状体２３から衝突板までの距離を離すと、温度は低下する。
【００４７】
図６は、本発明の他の実施形態に係わるマルチノズルが取り付けられたヘアードライヤを示す斜視図である。同図に示すヘアードライヤ１００は、図１と同様に、二重構造式ヘアードライヤ３の先端の噴出開口部３ａに本実施形態のマルチノズル５０を取り付けたものであり、この二重構造式ヘアードライヤ３の構造は図１に示したものと同じである。
【００４８】
また、この二重構造式ヘアードライヤ３の噴出開口部３ａに取り付けられた本実施形態のマルチノズル５０は、図１に示した実施形態のマルチノズル５が３本の筒状体２３を備えていたのに対して、４本の筒状体２３ａ、２３ｂ、２３ｃ、２３ｄを備えるようにした点が異なるのみであって、その他の構成および作用は、図１に示した実施形態のものと同じであるので、同じ構成要素には同じ符号を付して、説明を省略する。
【００４９】
図７（ａ）、（ｂ）および（ｃ）は、図６に示したヘアードライヤ１００に取り付けられているマルチノズル５０の複数の筒状体２３ａ、２３ｂ、２３ｃ、２３ｄ側から見た正面図、側方から見た断面図、および裏側から見た斜視図である。この図においても、マルチノズル５０は、４本の筒状体２３ａ、２３ｂ、２３ｃ、２３ｄを備えるようにした点が異なるのみであって、その他の構成および作用は、図３に示した実施形態のものと同じであるので、同じ構成要素には同じ符号を付して、説明を省略する。
【００５０】
図８は、図６に示した実施形態のヘアードライヤ１００を用いて頭髪を乾燥させた場合における温風の温度分布と速度分布を示す図である。なお、図８に示す温風の温度分布と速度分布も、図４と同様に、頭髪の代わりに衝突板を設け、この衝突板における温風の温度分布と速度分布を示している。また、図８でも、ヘアードライヤ１００からの温風の噴出口である４本の筒状体２３ａ、２３ｂ、２３ｃ、２３ｄの自由端部２４と衝突板との間の距離ＬをＬ＝１００ｍｍ、Ｌ＝１５０ｍｍおよびＬ＝２００ｍｍとした場合についての温風の温度分布と速度分布が示されている。
【００５１】
図８からも分かるように、４本の筒状体２３を用いたマルチノズル５０が取り付けられたヘアードライヤ１００においても、筒状体２３の本数に関係なく、距離Ｌ＝１００ｍｍ、Ｌ＝１５０ｍｍおよびＬ＝２００ｍｍのいずれの場合も、衝突板の中心が最も高温になる。各筒状体２３が集まる中心には、よどみ領域が形成され、このよどみ領域が形成されることで、噴出風の速度が減衰し、噴出風の乱れが筒状体２３の直下で発生し、中心の温度が高くなっている。更に、いずれの場合でも、隣り合う２本の筒状体２３の間の温度が高くなる。これは、図８において楕円形の点線で囲んで示すように、噴出風同士が衝突し、各筒状体２３の間の風速が速くなるためである。このように、各筒状体２３間の風速が速くなることにより、温風の一部集中を分散させることが可能となっている。また、いずれの条件下でも、最も高温となる点の温度は、７０゜Ｃ以下にならず、本実施形態のように複数の筒状体２３を設けることにより、温度が低下するが、高温領域は８０％と大きくなっている。なお、距離Ｌ＝２００ｍｍの場合は、筒状体２３の影響を受けにくくなっている。
【００５２】
本実施形態のように、マルチノズル５０の筒状体２３の数を４本とすることで、衝突板上の温度は、従来に比較して、約１０゜Ｃの低温化が可能となり、７０゜Ｃ以上の高温度領域の割合も減少している。
【００５３】
図９は、本発明の別の実施形態に係わるマルチノズルが取り付けられたヘアードライヤを示す斜視図である。同図に示すヘアードライヤ２００は、図１と同様に、二重構造式ヘアードライヤ３の先端の噴出開口部３ａに本実施形態のマルチノズル５００を取り付けたものであり、二重構造式ヘアードライヤ３の構造は図１に示したものと同じである。
【００５４】
また、この二重構造式ヘアードライヤ３の噴出開口部３ａに取り付けられた本実施形態のマルチノズル５００は、図１に示した実施形態のマルチノズル５が３本の筒状体２３を備えていたのに対して、５本の筒状体２３ａ、２３ｂ、２３ｃ、２３ｄ、２３ｅを備えるようにした点が異なるのみであって、その他の構成および作用は、図１に示した実施形態のものと同じであるので、同じ構成要素には同じ符号を付して、説明を省略する。
【００５５】
図１０（ａ）、（ｂ）および（ｃ）は、図９に示したヘアードライヤ２００に取り付けられているマルチノズル５００の複数の筒状体２３ａ、２３ｂ、２３ｃ、２３ｄ、２３ｅ側から見た正面図、側方から見た断面図、および裏側から見た斜視図である。この図においても、マルチノズル５００は、５本の筒状体２３ａ、２３ｂ、２３ｃ、２３ｄ、２３ｅを備えるようにした点が異なるのみであって、その他の構成および作用は、図３に示した実施形態のものと同じであるので、同じ構成要素には同じ符号を付して、説明を省略する。
【００５６】
なお、図９および図１０に示すヘアードライヤ２００のマルチノズル５００において、５本の筒状体２３ａ、２３ｂ、２３ｃ、２３ｄ、２３ｅは、環状に配設される。この複数の筒状体２３の配列は、これに限定されるものでなく、例えば５本の筒状体２３ａ、２３ｂ、２３ｃ、２３ｄ、２３ｅは、図１１に示すように、１本の筒状体２３ｅを中心とした周囲を囲むように４本の筒状体２３ａ、２３ｂ、２３ｃ、２３ｄを環状に配列させてもよい。この場合、中心の筒状体２３ｅの内径の太さを、他の筒状体２３ａ、２３ｂ、２３ｃ、２３ｄの内径の太さよりも若干、太くすることにより、頭髪に当たるときの風量、温度をより均一にすることが可能となりより好ましい結果が得られる。
【００５７】
また、上述した複数の実施形態では、筒状体２３の数は、３本、４本、５本の場合について説明したが、本発明は、これに限定されるものでなく、２本または６本以上でもよいものである。この場合、筒状体２３の配列を二重にして、例えば、外側に筒状体２３を６本、内側に筒状体２３を３本のようにしてもよい。
【００５８】
更に、上述した複数の実施形態では、マルチノズル５、５０、５００は、ヘアードライヤとして二重構造式ヘアードライヤ３に取り付けられている場合について説明したが、これに限定されるものでなく、二重構造でないヘアードライヤにも適用し得るものである。
【００５９】
以上、複数の実施形態を挙げて本発明を説明したが、各実施形態は例示であり、特許請求の範囲に記載される発明の範囲は、発明の要旨を逸脱しない範囲内で種々変更できるものである。
【符号の説明】
【００６０】
１  ヘアードライヤ
３  二重構造式ヘアードライヤ
３ａ  噴出開口部
３ｂ  空気吸引開口部
５  マルチノズル
７  ファン
９  ネット
１１  温風通過筒状部
１３  外気通過筒状部
１５  ヒータ
１７  ハンドル部
２１  外環筒体
２３、２３ａ、２３ｂ、２３ｃ、２３ｄ、２３ｅ  筒状体
２４  自由端部
２５  基端部
２７  隙間閉塞部
２９  周縁閉塞壁
３１  風量調整部
３３  隙間
【図１】
0005958893.tif 000002
【図２】
0005958893.tif 000003
【図３】
0005958893.tif 000004
【図４】
0005958893.tif 000005
【図５】
0005958893.tif 000006
【図６】
0005958893.tif 000007
【図７】
0005958893.tif 000008
【図８】
0005958893.tif 000009
【図９】
0005958893.tif 000010
【図１０】
0005958893.tif 000011
【図１１】
0005958893.tif 000012